(57)【特許請求の範囲】
【請求項１】
光ケーブルの心線接続部と、該心線接続部から延びる心線余長を収納する心線余長収納部とからなる接続モジュールを備えケース本体に蓋ケースを開閉自在に設け、該ケース本体内に導入されて前記心線接続部に至る光ケーブルのケーブル及びテンションメンバを保持するケーブル把持金具を具備したキャビネットにおいて、前記ケーブル把持具が係支切欠孔のある固定板にケーブル挾持片と、テンションメンバ固定片とを突設し、該固定板をケースに複数並設した締付突杆に係脱自在に設けて引き込みケーブル把持具と引き落しケーブル把持具とにし、両ケーブル把持具間の各締付突杆それぞれにフロアケーブル把持具を着脱自在に配備したことを特徴とする光ケーブル接続部収納用キャビネット。
【請求項２】
前記固定板が、平板片或いは逆Ｕ字形の折曲片に一つまたは二つ以上設けられたものであって、ケース上に重積配備した請求項１記載のキャビネット。
【請求項３】
前記フロアケーブル把持具が、ケーブル押えのあるケーブルクランプをケーブル取付ガイドに複数備えた構成からなる請求項１または２記載のキャビネット。
【請求項４】
前記ケース本体が、成端モジュールを回動自在に備えてケース本体外に取り出せるものであって、ケーブル把持金具付近に心線結束具を備えている請求項１または２記載のキャビネット。
【請求項５】
前記引き込みケーブル把持具が、アース付きテンションメンバクランプをテンションメンバ固定片に嵌着した請求項１，２または３記載のキャビネット。
【請求項６】
前記ケーブル把持金具が、ケース本体に等間隔で複数並列突設した支杆に係脱自在に嵌着する係合用孔を有するホルダーと、該ホルダーに突設したケーブル先端部に固着したリングを挿脱しうるケーブル固定ガイドとからなる請求項１，２または３記載のキャビネット。
【発明の詳細な説明】
【０００１】
【発明の属する技術分野】
本発明は、光ファイバ心線とテンションメンバとを有する光ケーブルの接続や分岐配線に用いる光ケーブル接続箱、詳しくは、ケース本体にテンションメンバを含む光ケーブルなどの各光ファイバケーブルを接続、分岐して止着状態に保持するようにした光ケーブル接続部収納用キャビネットに関する。
【０００２】
【従来の技術】
一般に、光ファイバ心線とテンションメンバを有する光ケーブルの接続に際しては、テンションメンバを止着することが不可欠であり、光ファイバの分岐・引込接続には接続作業の失敗を見越して心線に余裕を持たせた余長処理も不可欠であって、これら接続部を含む心線の保護を必要とされている。このため従来では、心線接続後に接続部や心線余長を収納する収納トレイが多数枚使用され、かつ防塵・防水性のカバーが用いられている。
【０００３】
【発明が解決しようとする課題】
しかしながら、従来の光ケーブル接続箱にあっては、特別なケースやカバー並びにシートを用いる心線接続処理部材が必要で組立部品も多く、カバー保持や任意の心線のハンドリングもやっかいであって、心線接続の安全性や、作業性の上でも問題であり取扱並びに構造が複雑化してコスト高となるほか内部空間が小さいことから心線余長が収納しにくくケーブル接続の作業性が低いという問題があった。
本発明は、これら従来の諸欠点を排除しようとするもので、ケース本体の開閉操作や心線接続の交換並びに増設が簡単にでき、取り扱い容易であり、安全な接続処理作業が行えて、作業性を大巾に向上すると共に、心線接続部と余長とが完全に分離状態で納められるし、余分な収納部材を不要とし、低コストの光ケーブル接続部収納用キャビネットを提供することを目的としたものである。
【０００４】
【課題を解決するための手段】
本発明は、光ケーブルの心線接続部と、該心線接続部から延びる心線余長を収納する余長収納部とからなる接続モジュールを備えたケース本体に蓋ケースを開閉自在に設け、該ケース本体内に導入されて前記心線接続部に至る光ケーブルの光ケーブル及びテンションメンバを保持するケーブル把持金具を具備したキャビネットにおいて、前記ケーブル把持具が係支切欠孔のある固定板にケーブル挾持片と、テンションメンバ固定片とを突設し、該固定板をケースに複数並設した締付突杆に係脱自在に設けて引き込みケーブル把持具と引き落しケーブル把持具とにし、両ケーブル把持具間の各締付突杆それぞれにフロアケーブル把持具を着脱自在に配備したものである。
【０００５】
【発明の実施の形態】
この発明にかかる光ケーブル接続部収納用キャビネットは、蓋ケースにある錠部にキーを差し込んで廻すと、錠が外れ蓋ケースを摺動して嵌脱すれば開蓋でき、ケース本体のケーブル把持金具にケーブルを把持してテンションメンバ把持部にケーブルのテンションメンバを止着し、引き出された心線は内配線材料に接続し分岐配線される心線は心線係止部を経てケース本体内に配索される。キャビネット内では、心線接続部が収納され、しかも、コードクランプにコードを押し込んで固定して心線接続の交換並びに増設が簡単にでき、余長収納ポケットで心線余長の収容の余分な外力のかからないででき捻回、巻き癖を生じないで一目でわかる配線ができて識別性良好であると共に、任意の心線のハンドリングが容易で取扱いも簡便であり、各心線余長の収容保持も確実で、心線の固定化もワンタッチで可能で接続、分岐の作業を安全かつ容易にすることができる。
この心線処理が終了したのちは、蓋ケースをケース本体に嵌着して若干スライドすると、錠部が係止されケース本体に閉蓋ロックされ、みだりに開蓋せず確実な防水・防塵効果をあげて心線接続部の安全な収納保護ができる。
【０００６】
【実施例】
以下、この発明の実施例を図１乃至図６を参照して説明すると、光ファイバケーブル接続部収納用キャビネット（以下、キャビネットと略称する。）は、光ケーブルの心線接続部を着脱自在に支持する支持部１と、前記心線接続部から延びる心線余長を収納する心線余長収納部２とからなる接続モジュールＡと成端モジュールＢとを備えたケース本体３と、該ケース本体３に摺動自在に設けた蓋ケース４とから構成され、該ケース本体３内に導入されて前記心線接続部に至る光ケーブルの光ケーブル及びテンションメンバを保持する引き込みケーブル把持具５と引き落しケーブル把持具５1 とフロアケーブル把持具６とを具備したものであって、前記ケーブル把持具に一対の係支切欠孔８，８のある固定板１５にケーブル挾持片１６と、テンションメンバ固定片１７とを突設し、該固定板１５をケースに複数並設した締付突杆７に係脱自在に設けて引き込みケーブル把持具５と引き落しケーブル把持具５1 とにし、両ケーブル把持具５，５1 の各締付突杆７にそれぞれにフロアケーブル把持具６を着脱自在に配備して光ケーブル接続部収納用キャビネットとしてある。
【０００７】
この場合、前記固定板１５としては、平板片或いは逆Ｕ字形の折曲片に一つまたは二つ以上設けられたものであって、ケース側に設けられたケーブル把持具５，５1 の上にさらにケーブル把持具５，５1 が配置されるように２段以上に重ねて配備してコンパクト化に役立ててある。
【０００８】
また、前記フロアケーブル把持具６には、断面略Ｅ字状のケーブル押えのあるケーブルクランプ６１をケーブル取付ガイド６２に複数（３ヶ所）備えた構成からなりそれぞれネジ６３によって締着してある。前記ケーブルクランプ６１は図２に示すように、支持板６４の取付孔６５に嵌装されてネジ６３でケーブルを挾持するもので、ケーブル取付ガイド６２の前面及び両側面にそれぞれに支持板６４を固着し複数のフロアケーブルを一括してブロック的に把持できるようにするのがよい。
【０００９】
この場合、前記ケース本体３は、成端モジュールＢを回動自在で脱着自在に備えたものであって、該成端モジュールＢをプラグ収納トレイ１３と余長収納トレイ１４とに上下２段に分離して互にヒンジ部１２で旋回できる連結構造としてケース本体３外に回動引き出せるものであって、開閉蓋を開けて心線余長の収納とプラグ１３1 との接続点検作業が容易にできるようにしてあるし、保留心線収納シート１１を必要に応じ付設する。
【００１０】
なお、前記ケース本体３には接続モジュールＡと引き落しケーブル把持具５1 及びフロアケーブル把持具６との間に心線結束具１０を備えていて、さらに前記引き込みケーブル把持具５にアース９付きのテンションメンバクランプをテンションメンバ固定片１７に嵌着したものを用いるのがよい。前記接続モジュールＡとしては、コード挿入溝のあるコードクランプ１８と、該コードクランプ１８から延びる心線を支持部１に保持する接続部を経てサークル状に収納する余長ポケット部１９と、該余長ポケット部１９に設けた開閉扉とを備えたものを取付部２０で前記ケース本体３に着脱自在に設けてある。
前記テンションメンバ固定片１７には、ケーブルに固着したリングを挿脱しうるガイド挾持片とからなり、ケーブルの挿入、挿脱を簡便化できるようにしてある。
また、前記固定板１５は、ケース本体３の内壁及び逆Ｕ字状或いはアングル状の取付板に固定される。
さらに、引き込みケーブルの場合はアースを取るために、前記固定リングにアース９をつけたものに直接テンションメンバをネジで固定部にネジ留めするのがよい。
【００１１】
前記接続モジュールＡに設けたコード保持部２１は、所定間隔で立設された複数の櫛状の仕切板、或いは間隔をあけて立設する支杆群とから構成され、心線余長ポケット１９の開口２２に臨んで設けられていて、心線をそれぞれ仕切板間に形成された隙間に、上方から縦に挿入することで支持できるようにしたものである。
【００１２】
このキャビネットは、樹脂の射出成形等により成形され、ケーブル導入用の配索孔が形成され、該ケーブル配索孔に防塵カバー２３を嵌装し、ここから光ファイバ心線とテンションメンバを有する複数の光ケーブルを導入し、把持金具５，５1 でケース本体３に定着できるようにしてあり、光ケーブル接続用のプラグ１３1 および／またはコネクタのあるプラグ収納トレイ１３と心線余長の余長収納トレイ１４とを有する成端モジュールＢと、接続モジュールＡを内装してある。
【００１３】
なお、前記成端モジュールＢは、ケース本体３にヒンジ部１２で回動自在で係脱可能に内装され、錠２５のある保護カバーの内蓋２６を有して余長収納部の配線整列を確実にしてある。
さらに、前記接続モジュールＡはケース本体３に着脱自在にネジ止めされるが、ケース本体壁と余長収納部壁に対応形成した嵌合係止部で嵌着できるようにしてもよく、壁面定着用の取付孔を活用してもよい。
【００１４】
この実施の形態にかかる光ケーブル接続用収納ケースにあっては、分岐光ケーブルと引込光ケーブルの接続に際しては、先ず、キャビネットのケース本体３を建物の外壁面にビス２４等を用いて固定し、分岐光ケーブルと引込光ケーブルをそれぞれ配索溝に、例えば、分岐光ケーブルを一方の配索孔に引込光ケーブルを他方の配索孔に通す。そして、各光ケーブルの光ファイバ心線は心線結束具１０に押し込み固定し、接続モジュールＡの接続部支持部１および余長ポケッド部１９に導いてコネクタにより接続し、その余長部分を巻回保持する。
【００１５】
そして、ケース本体３に蓋ケース４をかぶせて閉蓋して錠部２７によってロック状態となって閉蓋状態を維持する。また開蓋時には錠部２７にキーを差込んで９０度回せば蓋ケース４が開放でき、ケース本体３から取り外すことができケース本体３内の配線作業が容易にできる。
【００１６】
また、成端モジュールＢの内配線材料は、一端にフエルールを設けたテープを単心分離部で多数に分岐し、各単心線の他端にＳＣ簡易プラグまたはＭＰＯ簡易プラグのプラグ１３1 を備えた既製の変換心線を用いるのが便利であり、接続モジュール内配線材料も一端にＳＣコネクタまたはＭＰＯコネクタを設けた既製の心線を用いるのもよい。
さらに、各成端モジュールＢは取付部材でブラケットに対して個々に脱着できたりスライドさせて配線点検処理作業をしやすくすると共に、定着した際にも支持されて任意の心線をハンドリングしやすくすることも配慮してあり、必要に応じ外して取り出しもでき一目でわかりやすく識別性を良好にし、そして、各光ケーブルの光ファイバ心線はケーブル巻回・接続部に導いて、その余長部分を心線収納部に巻き取って保持するので、配線処理作業が容易にでき、またこのモジュールを差し込むだけの簡単な操作で切替交換並びに増設ができるようにすることもできる。
【００１７】
コネクタの交換及び増設は、コードおよびコネクタを差し込むだけの簡単な作業でできるようにしてあって、しかも任意の心線のハンドリングも容易にできるようにしてあり、心線余長もポケット部によって収納処理でき、また開閉扉を開くことによって一目でわかる配線形態で識別性も著しく容易にできるようにしてある。
【００１８】
図４の例では、引き込みケーブル把持具５として逆Ｕ字形折曲片５１を用いてケーブル把持片１６とテンションメンバ固定片１７のある固定板１５を２段に重ねて配備したもので、テンションメンバ固定片１７にアース９つきのクランプ２９、例えば中心にテンションメンバ挿通孔３０にネジ３１のある円筒体を挾み込み状態で押し込んでネジ３１により固着できるようにしてある（図５）。また引き落しケーブル把持具５1 としては、前記固定板１５を複数配列して対応するようにするのがよく（図６）、逆Ｕ字形折曲片５１1 を併用するのが多数引き落しの場合に便利である。
【００１９】
図７のケーブル把持具では、ケース本体３に等間隔で複数並列突設した支杆７に係脱自在に嵌着する係合用孔８を有する固定板１５と、該固定板１５に突設した把持片１６と固定片１７とから構成しケーブルＣにネジ２８1 で固着したリング２８及び支板２８2 を挿脱しうるようにし、ケーブルの挿入、挿脱を簡便化できるようにしてある。また、前記ホルダー１５は、ケース本体３の内壁及び取付片、例えば逆Ｕ字状或いはアングル状の取付板に固定されて用いられる。
【００２０】
図９乃至図１１の具体例では、フロアケーブル把持具６が、ケーブル押え片６０をネジ６３でケーブルを挾持するケーブルクランプ６１と、該ケーブルクランプ６１を係脱自在に係止するフック状の取付ガイド６２を複数備えた支持部材６６とから構成されている。
【００２１】
このケーブルクランプ６１には係止孔７１を一対形成し、該係止孔７１を前記フック状の取付ガイド６２に嵌め込み引掛けて吊重係止してフロアケーブルを支持する形態となっている。また、前記支持部材６６は前面及び両側面のそれぞれにフック状の取付ガイド６２を一対突設し、ビス孔６８を介してビス６９で取付板７０に固着し、ケース本体３内に配備され複数のフロアケーブルを一括してブロック的に把持でき、また簡易に取外すことができるようになっている。
【００２２】
【発明の効果】
本発明は、光ケーブルの心線接続部と、該心線接続部から延びる心線余長を収納する心線余長収納部とからなる接続モジュールを備えケース本体に蓋ケースを開閉自在に設け、該ケース本体内に導入されて前記心線接続部に至る光ケーブルのケーブル及びテンションメンバを保持するケーブル把持金具を具備したキャビネットにおいて、前記ケーブル把持具が係支切欠孔のある固定板にケーブル挾持片と、テンションメンバ固定片とを突設し、該固定板をケースに複数並設した締付突杆に係脱自在に設けて引き込みケーブル把持具と引き落しケーブル把持具とにし、両ケーブル把持具間の各締付突杆それぞれにフロアケーブル把持具を着脱自在に配備したことにより、心線接続の交換並びに増設が簡単にでき、心線余長の収容も簡便化し、かつ一目でわかる配線ができて識別性良好で、しかも任意の心線のハンドリングが可能で取り扱い容易であり、安全な接続処理作業が行えて、作業性を大巾に向上すると共に、心線接続部と余長とが完全に分離状態で納められるし、コードおよび心線接続部のみ固定すればよいので、余分な収納部材を不要とし、低コストで生産できるなど実用上の効果がある。
また、本発明では、キャビネットの内部でのケーブル把持とコード配線の確実化でスペースを有効に用いられコンパクト化と作業性向上とが実現できるし、切替操作も容易に作業でき、しかも心線並びにケーブル把持も最小工具で作業性を大幅に向上でき、心線余長収納も簡単で安全確実なケーブル配線が可能で構成も簡単で安価な形態で取扱い容易な光ケーブル接続部収納キャビネットとすることができる。
【図面の簡単な説明】
【図１】本発明の実施例を示し蓋ケースを切欠した状態で、（ａ）はその正面図、（ｂ）は平面図、（ｃ）は側面図である。
【図２】図１の例のフロアケーブル把持具を示し、（ａ）はその正面図、（ｂ）は側面図、（ｃ）は分離状態の斜視図である。
【図３】図１の例のフロアケーブル押えを示し、（ａ）はその平面図、（ｂ）は正面図、（ｃ）は側面図、（ｄ）は底面図である。
【図４】本発明で用いられる引き込みケーブル把持具を示し、（ａ）は正面図、（ｂ）は平面図である。
【図５】本発明で用いられるアースで、（ａ）は正面図、（ｂ）は側面図である。
【図６】本発明で用いられる引き落しケーブル把持具を示し、（ａ）は正面図、（ｂ）は平面図である。
【図７】本発明で用いられるケーブル把持具の他の例で、（ａ）は正面図、（ｂ）は分離状態の斜視図である。
【図８】本発明で用いられるフロアケーブル把持具の他例のケーブルクランプで、（ａ）はその正面図、（ｂ）は平面図、（ｃ）は側面図である。
【図９】図８の例を用いる支持部材で、（ａ）はその正面図、（ｂ）は平面図、（ｃ）は側面図、（ｄ）はフロアケーブル把持具の分離状態の斜視図である。
【図１０】図８及び図９の例の使用状態を示し、蓋ケースを切欠した正面図である。
【符号の説明】
Ａ        接続モジュール
Ｂ        成端モジュール
Ｃ        ケーブル
１        支持部
２        心線余長収納部
３        ケース本体
４        蓋ケース
５，５1   ケーブル把持金具
６        フロアケーブル把持具
７        突杆
８        係支切欠孔
９        アース
１０      心線結束具
１１      保留心線収納シート
１２      ヒンジ部
１３      プラグ収納トレイ
１３1     プラグ
１４      余長収納トレイ
１５      固定板
１６      ケーブル把持片
１７      テンションメンバ固定片
２８      リング
２９      クランプ
６１      ケーブルクランプ
６２      ケーブル取付ガイド
【図１】
0003801303.tif 000002
【図２】
0003801303.tif 000003
【図３】
0003801303.tif 000004
【図４】
0003801303.tif 000005
【図５】
0003801303.tif 000006
【図６】
0003801303.tif 000007
【図７】
0003801303.tif 000008
【図８】
0003801303.tif 000009
【図９】
0003801303.tif 000010
【図１０】
0003801303.tif 000011